(57)【特許請求の範囲】
【請求項１】
取付杆にスライド可能に連結した樋支持具本体と、前記樋支持具本体を取付杆にロック或いはアンロックさせるロックレバーと、これらを連結するリベットとを備え、上記取付杆又は樋支持具本体の何れか一方には、上記リベットを貫通する軸孔が形成され、且つ、他方には、上記リベットを貫通すると共に、前記軸孔に重合されるスライド長孔が形成され、更に、上記ロックレバーにはリベットを貫通する連結孔が形成され、上記リベットを、軸孔、スライド長孔、連結孔に貫通し、その下端をカシメ止めすることで、これら取付杆、樋支持具本体、ロックレバーが連結される構造にして成るロック式の雨樋支持具において、
上記軸孔が形成された取付杆又は樋支持具本体には、上記スライド長孔に嵌挿されてカシメ止め位置を特定する位置決め用凸部を形成し、且つ、この位置決め用凸部は、上記軸孔を中心にして対称な位置に各々形成されたことを特徴とするロック式の雨樋支持具。
【発明の詳細な説明】
【０００１】
【発明の属する技術分野】
【０００２】
本発明は、軒先等に取付けるロック式の雨樋支持具に関し、詳しくは、取付杆にスライド可能に連結した樋支持具本体と、前記樋支持具本体を取付杆にロック或いはアンロックさせるロックレバーと、これらを連結するリベットとを備えたロック式の雨樋支持具に関する。
【従来の技術】
【０００３】
図５は、従来のロック式の雨樋支持具を示す分解斜視図である。
【０００４】
雨樋支持具には、従来から様々な構造のものがあり、特に、ロックレバー１０３には、これを横回転、縱回転、スライド操作するものがある。
ここでは、横回転式のロックレバー１０３を例示して説明する。
【０００５】
この雨樋支持具１００は、取付杆１０１とスライド可能に連結した樋支持具本体１０２と、樋支持具本体１０２と、取付杆１０１を圧接固定させるための横方向に回転されるロックレバー１０３を備えている。
【０００６】
また、取付杆１０１の前方には、リベット１０４が貫通される軸孔１１１を開設し、樋支持具本体１０２には、この軸孔１１１に重合するスライド長孔１１２を長手方向に開設している。
【０００７】
また、ロックレバー１０３は、下方に開放されたコ状に形成され、その閉止された上面には、リベット１０４が貫通される連結孔１１３が形成されると共に、この連結孔１１３を中心にした円周上の適所には、大、小の突起部１２３、１３３を形成している。
【０００８】
そして、段付きリベットなどのリベット１０４を、バネワッシャ１０５を介して、軸孔１１１、スライド長孔１１２、連結孔１１３に貫通し、その下端をカシメ止めすることで、これら取付杆１０１、樋支持具本体１０２、ロックレバー１０３が連結された構造にしている。
【０００９】
このような構造のロック式の雨樋支持具１００は、ロックレバー１０３をアンロックからロック側に横回転すると、ロックレバー１０３の小さな突起部１２３が、樋支持具本体１０２の下面を一旦押上げ、更にロック側に回転すれば、大きな突起部１３３が、樋支持具本体１０２の下面を押上げながらスライド長孔１１２に嵌合すると共に、突起部１２３で再度樋支持具本体１０２を取付杆１０１に圧接させて、樋支持具本体１０２のスライドをロックできる。
なお、本図のものでは、そのロック時には、ロックレバー１０３の大きな突起部１３３が、樋支持具本体１０２のスライド長孔１１２に部分的に嵌り込んで、そのロック位置を確実にしている。
【００１０】
一方、ロックレバー１０３のロックを解除するには、ロックレバー１０３をロック位置からアンロック側に横回転すると、上述とは逆の作用が行われて、そのロックが解除されるため、取付杆１０１と樋支持具本体１０２は、圧接することなく、スライド長孔１１２の範囲でスライド可能となり、樋支持具本体１０２の出具合等を調節するのである。
【発明が解決しようとする課題】
【００１１】
しかし、このようなロック式の雨樋支持具１００は、何れも、取付杆１０１、樋支持具本体１０２、ロックレバー１０３に、リベット１０４を貫通させて組付けられる構造にしているため、ロック式の雨樋支持具１００の組立て作業においては、取付杆１０１の軸孔１１１、樋支持具本体１０２のスライド長孔１１２、ロックレバー１０３の連結孔１１３の各々を位置合わせしたうえで、リベット１０４を貫通してカシメ止めする必要がある。
【００１２】
この場合、リベット１０４として一般的なリベットを用いれば、取付杆１０１と樋支持具本体１０２とのカシメ位置（カシメ度合い）を決め難いという問題があった。
【００１３】
この問題を解決するため、近時では、図で示すようなリベット１０４として段付きリベットを用いることが考案されている。
【００１４】
上記段付きリベットは、軸の太首部１１４で取付杆１０１と樋支持具本体１０２との位置決めを行うと共に、上記軸の細首部１２４だけをロックレバー１０３の連結孔１１３に貫通させてカシメ止めしている。
【００１５】
ところが、上記段付きリベットをリベット１０４に用いた場合には、一般的なリベットセッター装置（不図示）を使用することができず、専用のリベットセッター装置が必要となる。
【００１６】
また、図例のような段付きリベットでは、上記問題に加え、一般的なリベットに比べても高コストであるという問題も生じる。
【００１７】
本発明は、かかる課題を解決することを目的とするもので、一般的なリベットや一般的なリベットセッター装置を使用しても、取付杆と樋支持具本体との位置決めを簡単且つ確実に行うことのできるロック式の雨樋支持具を提供する。
【課題を解決するための手段】
【００１８】
上記目的を達成するため、請求項１に係るロック式の雨樋支持具は、取付杆にスライド可能に連結した樋支持具本体と、前記樋支持具本体を取付杆にロック或いはアンロックさせるロックレバーと、これらを連結するリベットとを備え、上記取付杆又は樋支持具本体の何れか一方には、上記リベットを貫通する軸孔が形成され、且つ、他方には、上記リベットを貫通すると共に、前記軸孔に重合されるスライド長孔が形成され、更に、上記ロックレバーにはリベットを貫通する連結孔が形成され、上記リベットを、軸孔、スライド長孔、連結孔に貫通し、その下端をカシメ止めすることで、これら取付杆、樋支持具本体、ロックレバーが連結される構造にして成るロック式の雨樋支持具において、上記軸孔が形成された取付杆又は樋支持具本体には、上記スライド長孔に嵌挿されてカシメ止め位置を特定する位置決め用凸部を形成し、且つ、この位置決め用凸部は、上記軸孔を中心にして対称な位置に各々形成されたことを特徴とする。
【００１９】
このものでは、一般的なリベットや一般的なリベットセッター装置を使用しても、取付杆又は樋支持具本体の位置決め用凸部をスライド長孔に嵌挿するだけで、スライド長孔と軸孔とが重合されると共に、両者のカシメ止めの位置決めを簡単且つ確実に行うことができ、その組立て作業性を高めることができるうえ、コストダウンをも図ることができる。
【００２０】
また、ロックレバーに連結孔が形成されたものであっても、スライド長孔と軸孔とが重合されると共に、両者の位置決めが確実に行われているので、ロックレバーの連結孔の位置決めをより簡単にできる。
【００２１】
更に、位置決め用凸部が、軸孔を中心しにて対称な位置に形成されているので、スライド長孔と軸孔との位置決めを、より確実に行うことができる。
【発明の実施の形態】
【００２２】
以下、本発明に係るロック式の雨樋支持具を図面に基づき説明する。
【００２３】
図１は、本発明に係るロック式の雨樋支持具の前提を説明するための参考例を示す分解斜視図である。
【００２４】
ここで、ロック式の雨樋支持具Ａとしては様々な構造のものがあり、特に、ロックレバー３には、これを横回転、縱回転、スライド操作する構造のものが考えられる。
【００２５】
本実施例では、ロックレバー３を横回転操作するロック式の雨樋支持具Ａを例示して説明するが、ロックレバー３を縱回転操作、或いはスライド操作させるロック式の雨樋支持具Ａであっても同様である。
【００２６】
また、本実施例では、雨樋Ｔを吊下げて支持する吊下げタイプのものを例示しているが、雨樋Ｔを底面から支持受けするタイプのものや、更には縱樋を抱持するタイプのものでも同様であって、要するに、リベットを貫通して複数の雨樋支持具構成部材が連結されており、樋支持具本体をスライド調節させる構造のものであれば採用できる。
以下、詳説する。
【００２７】
この雨樋支持具Ａは、基本的な構造は、従来のものと同様であり、取付杆１とスライド可能に連結した樋支持具本体２と、樋支持具本体２と、取付杆１を圧接固定させるための横方向に回転されるロックレバー３を備えて成る。
【００２８】
また、取付杆１の前方には、リベット４を貫通する軸孔１１を開設し、樋支持具本体２には、この軸孔１１に重合するスライド長孔２１を長手方向に開設している。
【００２９】
このような基本的構造を備えた雨樋支持具Ａにおいて、本発明では、軸孔１１の周縁から下方に向けて突設された円筒状の位置決め用凸部１２が形成され、この位置決め用凸部１２が、樋支持具本体２のスライド長孔２１に嵌挿されてカシメ止め位置を特定することを特徴にしている。
【００３０】
ここで、位置決め用凸部１２がスライド長孔２１に嵌挿されているとは、この位置決め用凸部１２がスライド長孔２１に貫通すると共に、位置決め用凸部１２の下端とスライド長孔２１の下端とが同位置、或いは、略同位置の状態にして嵌め込まれていることを意味している。
【００３１】
すなわち、位置決め用凸部１２の高さは、樋支持具本体２のスライド長孔２１の高さと同位置、或いは、略同位置に形成されている。
【００３２】
そのため、取付杆１の位置決め用凸部１２をスライド長孔２１に嵌挿するだけで、取付杆１と樋支持具本体２の位置決めを簡単且つ確実に行うことができる。
【００３３】
ロックレバー３は、下方に開放されたコ状に形成され、その閉止された上面には、リベット４を貫通する連結孔３１が形成されている。
【００３４】
また、連結孔３１を中心にした円周上の適所には、大、小の突起部３２、３３を形成している。
【００３５】
そして、リベット４を、バネワッシャ５を介して、軸孔１１、スライド長孔２１、連結孔３１に貫通し、その下端をカシメ止めすることで、これら取付杆１、樋支持具本体２、ロックレバー３が連結される構造にしている。
なお、雨樋支持具Ａの動作については、従来のものと同様であるため、その説明は省略する。
【００３６】
図２は、図１のロック式の雨樋支持具を側面から見た状態の参考例としての概略分解図であり、図３は、図２の組立て作業における要部を示す参考例としての概略平面図である。
【００３７】
上記のように構成されたロック式の雨樋支持具Ａは、以下の要領で組立て作業される。
【００３８】
まず、取付杆１の位置決め用凸部１２を、樋支持具本体２のスライド長孔２１に嵌挿させて、取付杆１と樋支持具本体２を一体化させれば、軸孔１２とスライド長孔２１との位置決めが成される。
【００３９】
次いで、位置決め用凸部１２の下端を目印にしながら、ロックレバー３の連結孔３１を重合させれば、これら３つの各孔（軸孔１１、スライド長孔２１、連結孔３１）の位置決めを確実に行うことができる。
【００４０】
そして、このように位置決めされた状態で、リベットセッター装置（不図示）を用いて、リベット４をカシメ止めすれば、位置決め用凸部１２によって、そのカシメ止め位置が特定されるため、リベットのカシメ過ぎや、カシメ不足を生じることなく安定したカシメ止め作業を行うことができ、取付杆１、樋支持具本体２、ロックレバー３がリベット４によって連結される。
【００４１】
このように、一般的なリベットや一般的なリベットセッター装置を使用しても、取付杆１又は樋支持具本体２の位置決め用凸部１２を、スライド長孔２１に嵌挿するだけで、スライド長孔２１と軸孔１１とが重合されると共に、両者の位置決めを簡単且つ確実に行うことができ、その組立て作業性を高めることができるうえ、コストダウンをも図ることができる。
【００４２】
図４（ａ）、（ｂ）は、本発明の位置決め用凸部の一実施例を示す部分側面図である。
ここで、図１〜図３と対応する部位には、共通の番号を付し、その説明は省略する。
【００４３】
図４（ａ）は、取付杆１の位置決め用凸部１２が、軸孔１１を中心にして前、後の対称な位置に各々形成されたものであり、その組立て作業において、スライド長孔２１と軸孔１２との位置合わせを、より確実に行うことができる。
【００４４】
図４（ｂ）は、取付杆１の位置決め用凸部１２が、軸孔１１を中心にして前、後の対称な位置を切り起こして各々形成されたものであり、位置決め用凸部１２を容易に形成できる。
【００４５】
このように、位置決め用凸部１２は、雨樋支持具Ａの構造、材質等に応じて様々に形成されるが、何れの場合であっても、上記同様、位置決め用凸部１２をスライド長孔２１に嵌挿するだけで、その位置決めを簡単且つ確実に行うことができ、その組立て作業性を高めることができる。
なお、本実施例では、位置決め用凸部１２が取付杆１に形成されているものを例示したが、軸孔１１が樋支持具本体２に形成されているものでは、その位置決め用凸部１２が樋支持具本体２に形成される。
【発明の効果】
【００４６】
本発明によれば、次のような効果がある。
【００４７】
請求項１に係るロック式の雨樋支持具によれば、一般的なリベットや一般的なリベットセッター装置を使用しても、取付杆又は樋支持具本体の位置決め用凸部をスライド長孔に嵌挿するだけで、スライド長孔と軸孔とが重合されると共に、両者のカシメ止めの位置決めを簡単且つ確実に行うことができ、その組立て作業性を高めることができる。
【００４８】
また、ロックレバーに連結孔が形成されたものであっても、スライド長孔と軸孔とが重合されると共に、両者の位置決めが確実に行われているので、ロックレバーの連結孔の位置合わせを容易にできる。
【００４９】
更に、位置決め用凸部が、軸孔を中心しにて対称な位置に形成されているので、スライド長孔と軸孔との位置決めを、より確実に行うことができる。
【図面の簡単な説明】
【図 １】本発明に係るロック式の雨樋支持具の前提を説明するための参考例を示す分解斜視図
【図 ２】図１のロック式の雨樋支持具を側面から見た状態の参考例としての概略分解図
【図 ３】図２の組立て作業における要部を示す参考例としての概略平面図
【図 ４】（ａ）、（ｂ）は、本発明の位置決め用凸部の一実施例を示す部分側面図
【図 ５】従来のロック式の雨樋支持具を示す分解斜視図
【符号の説明】
Ａ ロック式の雨樋支持具
Ｔ 雨樋
１ 取付杆
１１ 軸孔
１２ 位置決め用凸部
２ 樋支持具本体
２１ スライド長孔
３ ロックレバー
３１ 連結孔
４ リベット
【図１】
0003640306.tif 000002
【図２】
0003640306.tif 000003
【図３】
0003640306.tif 000004
【図４】
0003640306.tif 000005
【図５】
0003640306.tif 000006